(57)【要約】【課題】狭い設置場所であってもショートサーキットを抑制でき、且つメンテナンス性にも優れる空気調和機の室外機を得る。【解決手段】空気調和機の室外機は、底ベース、前記底ベースに対向して上方に設置された上カバ１０３、前記底ベースと前記上カバの前側に設けられた前カバ１０４、熱交換器１０７、及びこの熱交換器に通風させるためのプロペラファン１１２を備えている。前記熱交換器は略コの字形状に構成されて前記底ベースと前記上カバの間に配置され、前記プロペラファンは前記前カバに取り付けられると共に前記略コの字形状の熱交換器の前方に配置されている。【選択図】図３
2013145094.tif 000002
【特許請求の範囲】
【請求項１】
底ベース、前記底ベースに対向して上方に設置された上カバ、前記底ベースと前記上カバの前側に設けられた前カバ、熱交換器、及びこの熱交換器に通風させるための送風ファンを備える空気調和機の室外機において、
前記熱交換器は略コの字形状に構成されて前記底ベースと前記上カバの間に配置され、
前記送風ファンは前記前カバに取り付けられると共に前記略コの字形状の熱交換器の前方に配置されていることを特徴とする空気調和機の室外機。
【請求項２】
請求項１に記載の空気調和機の室外機において、前記送風ファンはプロペラファンであり、前記前カバには吹出口が形成されていて、この吹出口の位置に前記プロペラファンが配置されるように、該プロペラファンのモータがモータクランプを介して前記前カバに取り付けられていることを特徴とする空気調和機の室外機。
【請求項３】
請求項１または２に記載の空気調和機の室外機において、前記底ベースと前記上カバの前方側部を接続するように設けられた脇カバを備え、前記前カバは、前記脇カバにヒンジを介して取り付けられ、前記ヒンジを支点として開閉されるように構成していることを特徴とする空気調和機の室外機。
【請求項４】
請求項１〜３の何れかに記載の空気調和機の室外機において、前記略コの字形状の熱交換器と、前記送風ファンを取り付けている前記前カバとの間に圧縮機を配置していることを特徴とする空気調和機の室外機。
【請求項５】
請求項１〜４の何れかに記載の空気調和機の室外機において、前記略コの字形状の熱交換器の対向した部分の上部に、電気箱を取り付けるために電気箱クランプを、橋渡しするように配置して前記上カバに取り付け、電気部品を収納している電気箱を、前記電気箱クランプ上に設置するように構成し、前記前カバを開くことで前記電気箱内に収納されている電気部品のメンテナンスや交換を可能に構成していることを特徴とする空気調和機の室外機。
【請求項６】
請求項５に記載の空気調和機の室外機において、前記電気箱の底面に電気箱の位置決めステーを取り付け、この位置決めステーを前記電気箱クランプに固定ねじで位置決め固定し、前記固定ねじを外すことで、前記電気箱が前記前カバ側にスライド可能に構成されていることを特徴とする空気調和機の室外機。
【請求項７】
請求項５または６に記載の空気調和機の室外機において、室外機の上方から見て、前記電気箱は、前記略コの字形状の熱交換器と、前記送風ファンを取り付けている前記前カバとに囲まれる範囲に配置されていることを特徴とする空気調和機の室外機。
【請求項８】
請求項２〜７の何れかに記載の空気調和機の室外機において、前記前カバを正面、前記プロペラファンの回転軸方向を奥行としたときに、正面から見た室外機の幅寸法より、その奥行寸法の方が大きくなるように構成されていることを特徴とする空気調和機の室外機。
【請求項９】
請求項８に記載の空気調和機の室外機において、前記室外機は、その奥行き寸法の方向と、建屋壁或いは塀の面の方向とが略平行になるように設置されることを特徴とする空気調和機の室外機。
【請求項１０】
請求項２に記載の空気調和機の室外機において、前記前カバには、前記モータクランプが、前記プロペラファンの保護や安全性向上確保のためのグリルと共にねじ止め固定されていることを特徴とする空気調和機の室外機。
【発明の詳細な説明】
【技術分野】
【０００１】
本発明は空気調和機の室外機に関し、特に狭い場所に設置される室外機として好適なものである。
【背景技術】
【０００２】
この種の従来技術としては、例えば特開２０００−１１１１０２号公報（特許文献１）に記載のものなどがある。この特許文献１のものは、略Ｍ字形状の熱交換器と、この略Ｍ字形状熱交換器の前方に配置されたプロペラファンと、前記略Ｍ字形状熱交換器の後方に配置された圧縮機とを備え、前記プロペラファンにより、前記略Ｍ字形状熱交換器に対して前記圧縮機側からプロペラファン側に空気が通過するように構成されている。このように構成することにより、小型で作業性も良い空気調和機の室外機としている。
【０００３】
また、他の従来技術として、特開平１０−２５８１号公報（特許文献２）に記載のものもある。この特許文献２のものでは、送風ファンとして貫流ファンを採用し、その回転軸が略垂直となるように筐体内に配置し、この貫流ファンの外周囲には当該貫流ファンを囲むように断面Ｕ字状の熱交換器を配設して、小型で熱交換能力の高い縦長カセットケーシング型空気調和機用室外機としている。
【先行技術文献】
【特許文献】
【０００４】
【特許文献１】特開２０００−１１１１０２号公報
【特許文献２】特開平１０−２５８１号公報
【発明の概要】
【発明が解決しようとする課題】
【０００５】
上記のような空気調和機の室外機は、様々な所に設置されている。例えば、建屋（ビル）屋上や店舗の敷地内の片隅に設置されたり、建屋壁にアングルステーで足場を作ってその上に設置される場合など、空気調和機の室外機は、その設置場所の都合により、様々な所に設置される。
【０００６】
近年、特に大都市部では、建屋と建屋の間が狭く、建屋が密集していることが多い。このような場所に空気調和機の室外機を設置する場合、上記例で挙げたような場所に室外機を設置できないことがあり、そのような場合には前記建屋と建屋の狭い空間に前記室外機が設置される場合も往々にしてある。この場合、次のいくつかの問題が生じる。
【０００７】
まず一つ目は、図８に示すような横吹きの室外機の場合、設置場所のスペースが小さいために、室外機の吹出口は、隣建屋の壁や建屋間の塀に近接した状態で対向設置される場合が多い。この場合、室外機から吹き出された空気は、吹出口を出てすぐに壁や塀に衝突するため、熱交換器で熱交換された空気を十分に室外機から離すことができず、熱交換器からの吹出し空気が当該熱交換器の吸込側から再び吸込まれてしまうというショートサーキットを引き起こし、熱交換能力を低下させてしまう。
【０００８】
二つ目は、前記室外機の設置場所が狭いために、その室外機の故障時に、部品交換などのメンテナンスがやり難いという問題がある。
【０００９】
更に三つ目は、室外機を２台以上設置する場合、一般的には並べて設置するが、その場合、前記ショートサーキットやメンテナンスの問題が大きくなってしまう。
【００１０】
上記特許文献１のものには、小型で作業性（メンテナンス性）も向上させた空気調和機の室外機が開示されているが、この特許文献１のものでは、圧縮機が熱交換器の吸込側に設置されているため、送風機や電気品などをメンテナンスするためには、吹出口側のカバと上カバを開ける必要がある。また、圧縮機の交換やメンテナンスをする場合には、更に電気品箱も取り外す必要がある。即ち、この特許文献１のものでは、圧縮機などのメンテナンス性に関しては十分に配慮されていない。
【００１１】
上記特許文献２のものでは、貫流ファンを採用して小型で縦長の室外機としているが、一般に貫流ファンでは大風量が出ないため、ルームエアコンなど小さな能力のものには適用できても、業務用エアコン（パッケージエアコン）など大きな能力の室外機には採用し難いという課題がある。
【００１２】
本発明の目的は、狭い設置場所であってもショートサーキットを抑制でき、且つメンテナンス性にも優れる空気調和機の室外機を得ることにある。
【課題を解決するための手段】
【００１３】
上記課題を解決するために、本発明は、底ベース、前記底ベースに対向して上方に設置された上カバ、前記底ベースと前記上カバの前側に設けられた前カバ、熱交換器、及びこの熱交換器に通風させるための送風ファンを備える空気調和機の室外機において、前記熱交換器は略コの字形状に構成されて前記底ベースと前記上カバの間に配置され、前記送風ファンは前記前カバに取り付けられると共に前記略コの字形状の熱交換器の前方に配置されていることを特徴とする。
【発明の効果】
【００１４】
本発明によれば、狭い設置場所であってもショートサーキットを抑制でき、且つメンテナンス性にも優れた空気調和機の室外機を得ることができる効果がある。
【図面の簡単な説明】
【００１５】
【図１】本発明の実施例１を示す空気調和機の室外機の正面図。
【図２】図１の室外機の側面図。
【図３】図１の室外機の平面図。
【図４】図２におけるＡ部拡大図。
【図５】図４のＢ方向から見た図で、電気箱クランプと上カバとの固定関係を説明する図。
【図６】電気箱の取出し方向を説明する図。
【図７】図４に示す電気箱クランプの斜視図。
【図８】従来の空気調和機の室外機の正面図。
【図９】図８に示す空気調和機の室外機における吹出し空気の流れを説明する側面図。
【図１０】図８に示す空気調和機の室外機におけるメンテナンススペースを説明する平面図。
【図１１】図１に示した実施例１の空気調和機の室外機を建屋壁と塀との間に設置した状態を説明する平面図。
【図１２】図１１に示した状態における空気調和機の室外機のメンテナンス時の動作を説明する図。
【図１３】図１に示した実施例１の空気調和機の室外機を２台設置した場合の例を説明する正面図。
【発明を実施するための形態】
【００１６】
以下、本発明の具体的実施例を、図面に基づき説明する。各図において、同一符号を付した部分は同一或いは相当する部分を示している。
【実施例１】
【００１７】
図１は本発明の実施例１を示す空気調和機の室外機の正面図、図２は図１の室外機の側面図、図３は図１の室外機の平面図である。
【００１８】
これらの図において、空気調和機の室外機１０１は、底ベース１０２、この底ベース１０２に対向して上方に配置された上カバ１０３、前記底ベース１０２と前記上カバ１０３の前側（正面側）に設けられた前カバ１０４、前記底ベース１０２と前記上カバ１０３の前方側部を接続するように設けられた脇カバ１０５、前記底ベース１０２と前記上カバ１０３の後方の角側を接続するように設けられたステー１０６、前記底ベース１０２と前記上カバ１０３の間に配置された略コの字形状の熱交換器１０７、この略コの字形状の熱交換器１０７の前方に配置された圧縮機１０８やプロペラファン（送風ファン）１１２などで構成されている。
【００１９】
前記プロペラファン１１２は、空気（外気）を前記略コの字形状の熱交換器１０７の外側から該熱交換器１０７に通風させ、プロペラファン１１２の前方に吹出すように構成されている。また、前記プロペラファン１１２は前記前カバ１０４に取り付けられている。
【００２０】
即ち、前記前カバ１０４には、前記プロペラファン１１２を駆動するモータ１１１を支えるためのモータクランプ１１０が、グリル１１３と共に取り付けられており、前記プロペラファン１１２は前記モータクランプ１１０及びモータ１１１を介して前記前カバ１０４に取り付けられている。前記モータクランプ１１０は前記前カバ１０４にねじ止めなどにより固定され、前記モータ１１１も前記モータクランプ１１０にねじ止めなどにより固定されている。前記グリル１１３は、前記プロペラファン１１２の保護や安全性を確保するためのものである。
【００２１】
前記前カバ１０４は、室外機１０１の前記脇カバ１０５にヒンジ２０１を介して取り付けられ、前記ヒンジ２０１を支点にして前記前カバ１０４は開閉自在に構成されている。
また、本実施例においては、前記前カバ１０４を正面、前記プロペラファン１１２の回転軸方向を奥行としたとき、正面から見た室外機１０１の幅寸法Ｗより、その奥行寸法Ｄの方が大きくなるように構成されている。そして、前記圧縮機１０８等の部品は、前カバ１０４を開けたときに容易に交換できるように、底ベース１０２のプロペラファン１１２を取り付けている前記前カバ１０４側、即ち前記略コの字形状の熱交換器１０７と前記前カバ１０４との間に配置されている。
【００２２】
１０９は電気部品を収納している電気箱、１０９ａは略コの字形状の熱交換器１０７の対向した部分の上部に橋渡しされるように配置された電気箱クランプで、前記電気箱１０９は、前記電気箱クランプ１０９ａ上に設置されて、ねじ止めなどの手段で固定されている。そして、前記前カバ１０４を開くことで、前記電気箱１０９内に収納されている電気部品のメンテナンスや交換が容易にできるように構成されている。
【００２３】
前記圧縮機１０８や前記電気箱１０９等は、前記室外機１０１の上方から見て、前記略コの字形状の熱交換器１０７及び前記プロペラファン１１２に囲まれるように配置されている。
なお、図１〜図３において、１１４は前記プロペラファン１１２の外周部側に設置されているベルマウス、１１５はグランドレベル１１６に設けられたベース（基礎）で、このベース１１５の上に前記室外機１０１は、前記底ベース１０２の足部１０２ａを介して設置されている。
【００２４】
次に、図４〜図７により、前記電気箱１０９の取付構造について説明する。図４は図２におけるＡ部拡大図、図５は図４のＢ方向から見た図で、電気箱クランプ１０９ａと上カバ１０３との固定関係を説明する図、図６は電気箱１０９の取出し方向を説明する図、図７は図４に示す電気箱クランプ１０９ａの斜視図である。
【００２５】
図４及び図５に示すように、前記電気箱１０９の底面には電気箱の位置決めステー１０９ｂがスポット溶接などで固定されており、一方前記電気箱クランプ１０９ａは前記略コの字形状の熱交換器１０７の対向した部分の上部に橋渡しされるように配置され、その両端部は前記上カバ１０３に固定ねじ１０３ａにより固定されている。前記位置決めステー１０９ｂを前記電気箱クランプ１０９ａに固定ねじ１０９ｃで固定することにより、電気箱１０９は電気箱クランプ１０９ａに位置決め固定される。
【００２６】
前記電気箱クランプ１０９ａは図７に示すように構成されており、その両端部には前記固定ねじ１０３ａで前記上カバ１０３に固定するためのねじ穴１０９ａａが形成され、またその前方には前記電気箱１０９を固定するためのねじ穴１０９ａｂが形成されている。
【００２７】
前記電気箱１０９を取り出す場合には、前カバ１０４（図３参照）を開き、前方から前記固定ねじ１０９ｃを取り外す。これにより、図６に示すように、前記電気箱１０９を前方にスライドさせて取り出すことができ、電気箱１０９内に収納されている電気部品の交換やメンテナンスを容易に行うことができる。また、前記電気箱１０９を元の位置に戻して固定する場合には、図６に示すスライド方向とは逆方向に前記電気箱１０９をスライドさせることにより、前記位置決めステー１０９ｂがストッパとなり、前記電気箱クランプ１０９ａに当たって、電気箱１０９は位置決めされる。この状態で前記固定ねじ１０９ｃにより、前記位置決めステー１０９ｂを前記電気箱クランプ１０９ａに固定する。
【００２８】
ここで、従来の空気調和機の室外機としての横吹きの室外機について図８〜図１０を用いて説明する。従来の空気調和機の室外機１２１の構成は、上述した本発明の実施例１の空気調和機の室外機１０１の構成と、空気調和機の室外機としての基本構成は同じであるため、同一部分或いは相当する部分については同一符号を付してその詳細説明を省略する。
【００２９】
従来の室外機１２１が本実施例の室外機１０１と異なる点を説明する。まず、従来の室外機１２１の場合、幅寸法Ｗと奥行寸法Ｄ（何れも図１０参照）を比較したとき、幅寸法Ｗの方が奥行寸法Ｄよりも大きくなっている。また、仕切り板１２７で機械室１２２と送風機室１２３とが分かれており、それぞれに対応して、機械室前カバ１２４と送風機室前カバ１２５に分かれている。更に、電気箱１０９が前記機械室１２２内に配置されている。
【００３０】
このような従来の室外機１２１の課題を説明する。  
図９により、図８に示す空気調和機の室外機１２１での吹出し空気の流れを説明する。従来の空気調和機１２１が、図９に示すように、例えば建屋壁３０１と塀３０２との間の狭い場所、特に建屋壁３０１と塀３０２との距離Ｌよりも室外機の幅寸法Ｗの方が大きい場合、前記室外機１２１はその吹出口１２６を塀３０２に向けて設置することとなる。
【００３１】
この場合、前記室外機の吹出口１２６から出た吹出し空気３０３の流れは、前記吹出口１２６から出てすぐに、前記塀３０２の前記吹出口１２６に対向する部分（以下、衝突部という）３０４に衝突し、そこで流れが乱れて、その吹出された空気の一部が、前記室外機１２１における熱交換器１０７の吸込側から吸込まれてしまう。これはショートサーキットと呼ばれる現象で、このようなショートサーキットが発生すると、熱交換された吹出し空気３０３がすぐに熱交換器に吸込まれてしまうので、熱交換能力が低下する。
【００３２】
また、前記室外機１２１の吹出口１２６と前記塀３０２の衝突部３０４との間で流れが乱れると、その流れが、周辺の埃を巻き上げて、この埃が熱交換器１０７に吸込まれ、この結果、熱交換器１０７を構成するフィンの隙間が詰まったり、その周囲が汚れてしまうという課題が生じる。
【００３３】
更に、従来の空気調和機の室外機１２１ではサービススペースが狭いという課題もある。即ち、図９に示すような状態に設置されている室外機１２１のメンテナンス（部品交換含）を行う場合、図１０に示すように、サービススペース４０１に作業者が入って、例えば次のような作業を行う。
【００３４】
プロペラファン１１２のみを交換する場合には、グリル１１３を送風機室前カバ１２５から取り外して作業を行う。  
また、モータ１１１を交換する場合には、モータ１１１の配線が電気箱１０９まで接続されているので、少なくとも、グリル１１３とプロペラファン１１２を外した後、機械室前カバ１２４を外し、電気箱１０９の中のモータ配線を外した後、モータを交換することとなる。これはモータ１１１の配線が電気箱１０９とどのように接続されているかで作業量が変わり、その構成によっては送風機室前カバ１２５や上カバ１０３も取り外す必要が出てくる場合もある。
【００３５】
一方、圧縮機１０８などを交換する場合は、機械室前カバ１２４を外して行われるが、圧縮機１０８の取り出し方向に塀３０２などがあると、サービススペース４０１が狭くなり、作業が困難になったり、安全に行うことが難しくなる。
【００３６】
このように、上述した従来の室外機１２１では種々の課題がある。これに対し、本実施例の室外機１０１によれば、図１１及び図１２を用いて以下説明するように、従来の室外機の上記課題を解決することが可能となる。  
図１１は図１に示した本実施例の空気調和機の室外機１０１を建屋壁３０１と塀３０２の間に設置した状態を説明する平面図、図１２は図１１に示した状態における空気調和機の室外機のメンテナンス時の動作を説明する図である。
【００３７】
図１１に示すように、本実施例の空気調和機の室外機１０１は、建屋壁３０１と塀３０２の間の狭い場所に設置する場合、建屋壁３０１と塀３０２との距離（通路幅）Ｌよりも室外機１０１の幅寸法Ｗを小さくできる（なお、奥行寸法Ｄは前記距離Ｌよりも大となることもある）から、室外機１０１は、その奥行寸法Ｄ方向と、前記建屋壁３０１や塀３０２の面の方向とが、略平行になるように設置することができる。
【００３８】
このように設置することにより、室外機１０１の前方から吹出される吹出し空気３０３が前記塀３０２に当たるのを防止できる。この結果、吹出し空気３０３の流れが熱交換器１０７の吸込側から吸い込まれるというショートサーキットは生じ難くなる。また、前記室外機１０１の吹出口１２６と前記塀３０２との間で流れが乱れることも防止できるから、吹出し空気３０３が周辺の埃を巻き上げて、熱交換器１０７に吸込まれるのも抑制できる。従って、熱交換器１０７を構成するフィンの隙間が詰まったり、その周囲が汚れてしまうのも防止できる。なお、３０５は吸込み空気を示している。
【００３９】
更に、本実施例の空気調和機の室外機１０１では、サービススペース４０１も広くとれるという効果もある。即ち、図１２に示すように、本実施例の空気調和機の室外機１０１をメンテナンス（部品交換を含む）する場合には次のようにして行うことができる。
【００４０】
本実施例では、室外機１０１の前方には障害物がないので、広いサービススペース４０１を容易に確保することができる。そして、例えばプロペラファン１１２の交換やメンテナンスをする場合は、前カバ１０４を、矢印２０３で示すように開けることにより、この前カバ１０４の裏側にプロペラファン１１２が設置されているから、容易にプロペラファン１１２を取り外すことができる。従って、その交換やメンテナンスを容易に行うことができる。
【００４１】
また、モータ１１１を交換する場合には、前記前カバ１０４を矢印２０３で示すように開いてプロペラファン１１２を外した後、モータ１１１をモータクランプ１１０から取り外して交換する。この時に、モータの配線は電気箱１０９に接続されているが、前カバ１０４を開くと、熱交換器１０７の上部に電気箱１０９が設置されているため、該電気箱１０９を二点鎖線１０９´で示すように矢印２０４の方向（前方）にスライドさせて取り出し、電気箱１０９の中のモータ配線を外すことで、容易にモータ１１１を交換することができる。従って、本実施例では前カバ１０４以外を開ける必要はなく、モータの交換やメンテナンスも容易に行うことができる。
【００４２】
なお、図１２に示すものでは、図６で説明したように、電気箱１０９を前方にスライドさせて取り出すことができるようにしているが、この電気箱１０９内の電気部品を搭載している基板などをスライド可能にして前方に取り出すようにしても良く、このようにすれば更に作業を簡素化できる。
【００４３】
一方、室外機１０１の底ベース１０２（図１参照）に設置されている前記圧縮機１０８等を交換する場合には、前カバ１０４を矢印２０３の方向に開いて、前記圧縮機１０８等を取り出せば良い。本実施例の室外機１０１の場合、圧縮機１０８等の取り出し方向が室外機１０１の奥行寸法Ｄ方向となり、その方向には塀３０２等の障害物はないため、部品交換やメンテナンスのためのサービススペース４０１を広く取ることができる。このため、本実施例によれば、容易に且つ安全に圧縮機の取出し作業等を行うことができる。
【００４４】
更に、本実施例の室外機１０１では送風ファンとしてプロペラファンを採用しているので、大風量を得ることもでき、空調能力の大きい室外機を得ることもできる。一般に、室外機は空調能力が大きいほど風量が多く必要になってくるが、上記特許文献２に示されているように、貫流ファンを使用した場合には大風量を得ることは一般に困難であり、空調能力の大きい室外機を得ることは難しい。
【００４５】
図１３は図１に示した本実施例１の空気調和機の室外機１０１を２台設置した場合の例を説明する正面図である。この図１３に示すように、設置場所が狭いところで本実施例の室外機１０１を２台設置する場合には、高さ方向に２台並べて設置することが可能となる。このように設置することにより、上述したショートサーキット等の問題が発生するのを抑制できる。また、メンテナンス性に関しても、図１２で説明した室外機１０１の１台設置の場合と同様に十分広いサービススペース４０１を確保することができるから、室外機１０１の２台設置の場合でもサービススペースの確保が困難になることも回避できる。
【００４６】
なお、図１３に示した室外機１０１の設置例は、設置場所が狭いところでの設置例であり、十分に広い設置場所を確保できる場合には、高さ方向に２台並べて設置する必要はなく、設置の自由度が大きくなることは言うまでもない。また、略コの字形状の熱交換器には、コの字形状の他に、Ｕ字形状などの熱交換器も含まれるものである。
【００４７】
以上説明したように、本実施例の空気調和機の室外機によれば、建屋と建屋（或いは塀）などの間の狭い場所に室外機が設置される場合でも、ショートサーキットを抑制することができると共に、室外機のメンテナンス性も向上させることができる。また、室外機を２台以上設置する場合でも、狭い設置場所に設置が可能であり、ショートサーキットの抑制やメンテナンス性に関しても室外機１台設置の場合と同様の効果が得られる。更に、本実施例のものではプロペラファンを採用しているため、大風量が得られ、この結果、空調能力の大きい室外機を得ることもできる。
【符号の説明】
【００４８】
１０１，１２１：室外機、
１０２：底ベース、１０２ａ：足部、
１０３：上カバ、１０３ａ：固定ねじ、
１０４：前カバ、１０５：脇カバ、１０６：ステー、
１０７：熱交換器、
１０８：圧縮機、
１０９：電気箱、
１０９ａ：電気箱クランプ、１０９ａａ，１０９ａｂ：ねじ穴、
１０９ｂ：位置決めステー、１０９ｃ：固定ねじ、１０９ｄ：ねじ穴、
１１０：モータクランプ、１１１：モータ、
１１２：プロペラファン（送風ファン）、１１３：グリル、
１１４：ベルマウス、
１１５：ベース、１１６：グランドレベル、
１２２：機械室、１３３：送風機室、
１２４：機械室前カバ、１２５：送風機室前カバ、
１２６：吹出口、１２７：仕切板、
２０１：ヒンジ、
３０１：建屋壁、３０２：塀、
３０３：吹出し空気、
３０４：衝突部、
３０５：吸込み空気、
４０１：サービススペース。
【図１】
2013145094.tif 000003
【図２】
2013145094.tif 000004
【図３】
2013145094.tif 000005
【図４】
2013145094.tif 000006
【図５】
2013145094.tif 000007
【図６】
2013145094.tif 000008
【図７】
2013145094.tif 000009
【図８】
2013145094.tif 000010
【図９】
2013145094.tif 000011
【図１０】
2013145094.tif 000012
【図１１】
2013145094.tif 000013
【図１２】
2013145094.tif 000014
【図１３】
2013145094.tif 000015